(57)【要約】  フットウェア用のアウトソールは、同じプラスチック材料からなる２種類のブレンドを共押出しすることで製造でき、薄い色またはチーク材の色を有するプラスチック材料の第１のストリップが、ヨットのデッキをシールするために使用されるシームの、暗い色または黒い色を有するプラスチック材料のそれぞれの第２のストリップ（６ａ及び６ｂ）と共に、並んで且つ交互に配置されている。第１のストリップの幅は第２のストリップの幅よりもかなり大きい。当該アウトソールは、チークストリップ間に黒いシームが散在した状態で、ヨットのチークブリッジおよびデッキの視覚的及び触覚的な効果を再現するように構成されており、第１および第２のストリップの色は相互に交換可能である。【選択図】図２
2021513475.tif 000002
【特許請求の範囲】
【請求項１】
フットウェア用のアウトソールであって、
同じプラスチック材料からなる２種類のブレンドを共押出しすることで製造でき、
薄い色またはチーク材の色を有するプラスチック材料の第１のストリップが、ヨットのデッキをシールするために使用されるシームの、暗い色または黒い色を有するプラスチック材料のそれぞれの第２のストリップ（６ａ及び６ｂ）と共に、並んで配置されると共に交互に配置されており、
前記第１のストリップの幅は、前記第２のストリップの幅よりもかなり大きく、
当該アウトソールは、チークストリップ間に黒いシームが散在した状態でヨットのチークブリッジ及びデッキの視覚的及び触覚的な効果を再現するように構成されており、
前記第１および第２のストリップの色は相互に交換可能である、
ことを特徴とするアウトソール。
【請求項２】
前記第２の黒いストリップ、すなわちシーム（６ａ）の厚さが、当該アウトソールの他の部分から突出するように、前記第１のチーク色のストリップの厚さより大きくなっており、これにより歩行時により大きなグリップをもたらすことを特徴とする、請求項１に記載のアウトソール。
【請求項３】
ヒール（３）、ソール（１）およびシャンク（２）を備えることを特徴とする、請求項１または２に記載のアウトソール。
【請求項４】
ヒール（３）、ソール（１）およびシャンク（２）を区別することなく足を完全に覆うように構成され、これによりウォーキングトレッドを形成するアウトソールの全体を得ていることを特徴とする、請求項１または２に記載のアウトソール。
【請求項５】
シームを形成する前記第２のストリップ（６ａ及び６ｂ）が、ヒール領域にも配置されていることを特徴とする、請求項４に記載のアウトソール。
【請求項６】
前記第２のストリップ（６ａ及び６ｂ）が、前記ヒールの上のヒールキャップ領域にも配置されていることを特徴とする、請求項５に記載のアウトソール。
【請求項７】
前記交互に配置された第１のストリップ及び第２のストリップ（６ａ，６ｂ）が、つま先とかかとを結ぶ方向での長手方向に配向されていることを特徴とする、請求項１〜６のいずれか一項に記載のアウトソール。
【請求項８】
それはまた、ヒールの後部垂直部分にも配置されていることを特徴とする、請求項７に記載のアウトソール。
【請求項９】
それはまた、ヒールキャップの後方垂直部分にも配置されていることを特徴とする、請求項８に記載のアウトソール。
【請求項１０】
前記交互に配置された第１のストリップ及び第２のストリップ（６ａ，６ｂ）が、つま先とかかとを結ぶ方向に対して垂直に配向されていることを特徴とする、請求項１〜６のいずれか一項に記載のアウトソール。
【請求項１１】
前記交互に配置された第１のストリップ及び第２のストリップ（６ａ，６ｂ）が、つま先とかかとを結ぶ方向に対して斜めに配向されていることを特徴とする、請求項１〜６のいずれか一項に記載のアウトソール。
【請求項１２】
前記第１のストリップの幅が、前記第２のストリップ（６ａ，６ｂ）の幅よりも８倍〜１２倍大きく、好ましくは約１０倍大きいことを特徴とする、請求項１〜１１のいずれか一項に記載のアウトソール。
【請求項１３】
前記第１及び第２のストリップが作られるプラスチック材料が、それぞれ異なる色を有する２つのブレンドのＰＶＣであることを特徴とする、請求項１〜１２のいずれか一項に記載のアウトソール。
【請求項１４】
請求項１〜１３のいずれか一項に記載のアウトソールと、アッパー（４）とを備えてなるフットウェアであって、
プラスチック材料またはＰＶＣで作られた前記アウトソールに前記アッパー（４）を縫い付けることによる組み立てを含み、適切なサイズのワックス処理されたダイニーマ（登録商標）撚糸を使用して、グッドイヤー（Ｇｏｏｄｙｅａｒ）モード、ブレイク／ラピッド（Ｂｌａｋｅ／Ｒａｐｉｄ）モード、またはノルウェー（Ｎｏｒｗｅｇｉａｎ）モードに従って取得可能なタイプのものであることを特徴とする、フットウェア。
【発明の詳細な説明】
【技術分野】
【０００１】
本発明は、実質的には、限定されないが好ましくは高可撓性ポリ塩化ビニル（ＰＶＣ）で作られた、フットウェア用のアウトソール(outsole)、並びに、該アウトソールに縫い付けられるかまたは他の方法で固定されたアッパーを備えるフットウェアに関する。
【背景技術】
【０００２】
ＰＶＣで作られたアウトソールの表面は、実質的にフラットまたは非フラットであってよく；いずれの場合も、アウトソールは、チークデッキとヨットのブリッジの効果を再現するために並べて配置された異なる色の２つのブレンドで作られており、チークストリップにはシーム（seam、継ぎ目または筋）が散在している。フラットバージョンではチークストリップと一緒にウォーキングトレッドを形成するシームは、非フラットバージョンでは、アウトソールの他の部分（残りの部分）から、好ましくは約３／５ミリメートル突出しているため最初に地面に接触する。
【０００３】
以下、用語「フラットアウトソール」は、その表面にアウトソールの他の部分（残りの部分）から突出した部分がないアウトソールを意味し、用語「非フラットアウトソール」は、その表面にアウトソールの他の部分から突出する部分を備えたアウトソールを意味する。言い換えれば、本明細書において、用語「フラットアウトソール」は、アウトソールが幾何学的平面上に強制的（義務的）に横たわる表面を有することを意味しない。
【０００４】
本発明は、男性、女性および子供用のフットウェアの製造分野に関し、特に、高可撓性ポリ塩化ビニル（ＰＶＣ）で作られた低いタイプのアウトソール、および、該アウトソールに縫い付けられたアッパーを備えるフットウェアに関する。本発明はまた、完全なフットウェアを得るために、共押出しプロセスによって製造され且つソール、ヒールおよびシャンクからなるアウトソールを、アッパーを縫製および／または接着することで組み立てるための対応する製造方法に関する。
【０００５】
現在の技術水準によれば、既知のタイプのフットウェアは、ヒールが提供される場合にソール、ヒール、およびシャンクに分割することができるアウトソールと関連付けられたアッパーからなり、シャンクは、程度の差はあるが高いヒールにより地面から離れているため、歩行中に地面に触れないアウトソールの一部であり、アッパーには、通常本革または人工皮革で作られたインソール（それは、歩行を快適にするためにパッドを含む）が、好ましくは挿入される。
【０００６】
射出成形製造プロセスによってプラスチック材料で作られるアウトソールを製造するための方法は、特許文献１から知られている。このタイプのプロセスは、本発明で使用される共押出しプロセスと比較して、いくつかの金型の構築による生産コストの増加があるという欠点を有する。実際、各アウトソールを製造するために、特許文献１では、各足にダブルの金型が必要であり、これにシングルの各靴モデルを作成するために選択された異なるサイズの数を掛ける必要がある。さらに、射出成形では、実際の「チークデッキ」効果を得ることがまったく不可能であり、せいぜい、形や色は似ているかもしれないが、感触は異なる。
【０００７】
射出成形プロセスによって間違いなく得られるプラスチック材料で作られたアウトソールを備えたフットウェアは、上記と同じ制限があるが、特許文献２からも知られている。
【０００８】
特定の使用分野に対応するため、ならびにファッショントレンドに対応するために作られた、革、ゴムまたはＰＶＣ製の多くのタイプのアウトソールの中でも、本明細書に記載の発明は、好ましくはＰＶＣで作られた革新的なアウトソールに関する。
【０００９】
市場には、さまざまなＰＶＣブレンドで作られた多くのタイプのフットウェアがある。
【００１０】
特に、有名なフットウェアブランドによって１９９０年代初頭に市場に上市された（明らかにゴルフに触発された）ゴムまたはＰＶＣで作られたスタッド（またはタック）付きアウトソールは、非常によく知られており、高く評価されている。
【００１１】
ただし、これらの靴には一連の欠点があり、とりわけ、革、ライニングおよびインソールの軽量化が特徴である夏モデルでは、足のアウトソールのスタッド／タックをより感じるという結果となって、特に歩行快適性の低さが目立ち、更にそれだけでなく、
スタッド／タック自体の急速な摩耗（という欠点）があり、それはスタッド／タックまたはアウトソール全体を交換する際の既知の困難に伴うことになる。
【先行技術文献】
【特許文献】
【００１２】
【特許文献１】米国特許出願公開第２０１６／２０６０４１号
【特許文献２】英国特許第２００８９２６号明細書
【発明の概要】
【発明が解決しようとする課題】
【００１３】
本発明は、ヨット遊び(yachting)からインスピレーションを得て、以前の技術的解決策とは実質的に異なり、したがって、人間工学、歩行快適性、靴が組み立てられる材料及び部材の耐摩耗性、ならびに外観を改善するものである。
【００１４】
本発明の主な目的は、従来技術の欠点を克服することである。
【００１５】
本発明の更なる目的は、異なる色を有する２つのブレンドを使用することにより得られる、好ましくはＰＶＣで作られた革新的なアウトソールを提案することであり、これにより、視覚的および触覚的観点から、チークストリップにシームが散在した状態のヨット（の）ブリッジおよびデッキの効果を再現し、る。
【課題を解決するための手段】
【００１６】
好ましい実施形態（単に非限定的な例として開示されるものである）では、本発明は、チーク材の色を有する複数のＰＶＣストリップと、ヨットのデッキをシールするために使用されるシームの黒色を有する複数のＰＶＣストリップとを交互に配置・結合することによって実現することができ、ここで、チーク材色のストリップの幅は、黒色のシームの幅よりもかなり大きく、例えば、１０倍大きい。
【００１７】
本発明によれば、より狭い黒色のストリップ（すなわち、ヨットデッキのシームに対応するもの）はまた、それらが交互になっているチーク色のストリップから突出していてもよい。
【００１８】
さらに、本発明の更なる目的は、アウトソールをフットウェアの他の構成要素に組み立てる革新的な方法を提供することである。より具体的には、ワックス処理されたダイニーマ(Dyneema)（登録商標）撚糸を使用して、「スルー（ｔｈｒｏｕｇｈ）」または単に「装飾的（ｏｒｎａｍｅｎｔａｌ）」な方法で縫製に使用される糸のタイプが参照され、これはセーリング(sailing)の世界からインスピレーションを得ている。尚、前記素材は鋼（スチール）よりも強靭で、非常に耐性があるが、フットウェアの製造に一般的に使用されるワックス処理されたナイロン（登録商標）糸と同じように延性があるという特徴がある。さらに、前記素材の使用は、靴全体に特定の高い構造品質基準を与えることができる。
【００１９】
最後に、構造的に単純であり、許容可能な製造コストを有し、従来の既知のシステムによって得ることができる発明を達成することも、重要な目的である。
【００２０】
本発明の更なる特徴および利点は、添付の図面に非限定的な例として模式的に示されているところの、ソール、ヒールおよびシャンクを含んだ、アウトソールまたはアウトソールの一部の幾つかの好ましい実施形態についての以下の詳細な説明から明らかとなるであろう。
【図面の簡単な説明】
【００２１】
【図１】本発明によるアウトソールの底面図であり、黒いシームは、チーク色のアウトソールの他の部分の表面から突出していてもいなくてもよい。
【図２】アウトソールの他の部分から突出するシーム（６ａ）が設けられたアウトソールの第１の実施形態の概略的な斜視底面図を示す図である。
【図３】シーム（６ｂ）がチーク色のストリップから突出していない、アウトソールの第２の実施形態の側面斜視図である。
【図４】図２のアウトソールの側面図である。
【図５】図１および図２のアウトソールの変形例の底面図であり、この場合、ワックス処理されたダイニーマ（登録商標）撚糸で縫い付けられたシームの存在のために予め穴が開けられている。
【図６】本発明の第３の実施形態の斜視底面図であり、アウトソールは、ヒールの後部垂直部分にも続く突出したＰＶＣシーム（６ａ）を備えたシームレスソールである。
【図７】図６の第３の実施形態の変形例の背面図であり、シームおよびチーク色の部分は、ヒールの上のヒールキャップに続いている。
【発明を実施するための形態】
【００２２】
以下の説明では、特定の例に関連して与えられた個々の特徴は、他の例示的な実施形態に存在する他の異なる特徴と交換することもできる。
【００２３】
上記図面群を参照すると、図１の底面図は、本発明に従うアウトソールの第１と第２の両方の実施形態に対応しており、どちらも男性、女性、および子供向けのクラシックタイプのフットウェアを得るために使用できる（図１〜図５）。
【００２４】
本発明に従うアウトソールは、限定的ではないが、好ましくは、ポリ塩化ビニル（ＰＶＣ）などのプラスチック材料で作られており、２つのブレンドがヨットのチークブリッジおよびデッキの効果を再現する異なる色を有し、チークストリップは黒のシーム（６ａおよび６ｂ）と交互になっている。非限定的な例として、各チーク木材色のＰＶＣストリップの幅は、ヨットのデッキをシールするために使用されるシームの隣接する黒色のＰＶＣストリップ（６ａ，６ｂ）の幅よりも、８倍から１２倍（好ましくは１０倍）大きくてもよい。
【００２５】
好ましくはクラシックタイプのフットウェアの製造に適しているところの、シーム６ｂがアウトソール（図１および図３）の他の部分から突出していない「フラット」バージョンでは、構造は、シャンク（２）をフリー（無し）にして、ヒール（３）とソール（１）を組み立てることを含む。
【００２６】
図４および図５は、本発明の変形例を示しており、（その変形例では）革のインソール（５）及びアッパー（４）へのチークストリップとシームストリップを備えたアウトソールの組み立てが、適切なサイズのワックス処理されたダイニーマ（登録商標）撚糸（１０）を使用して、グッドイヤー（Ｇｏｏｄｙｅａｒ）モード、ブレイク／ラピッド（Ｂｌａｋｅ／Ｒａｐｉｄ）モード、またはノルウェー（Ｎｏｒｗｅｇｉａｎ）モードに従って、縫い付けられたアッパー／アウトソールシーム（９）によって達成される。
【００２７】
シーム６ａが突出している「非フラット」バージョンでは、図２および図４に示すＰＶＣアウトソールは、以前の「フラット」バージョンとは異なっており、この場合、シームストリップ６ａの厚さはチークストリップの厚さよりも大きいため、アウトソールの他の部分から突出しており、歩行中の最大のグリップポイントを表している。好ましくは、その突出（部）は３／５ミリメートルであり、したがって、全体としてフットウェアの心地よい視覚効果に寄与するだけでなく、トレッドの優れたグリップにも寄与する。
【００２８】
本発明の第３の実施形態（図６および図７）は、スニーカを組み立てるために使用される。この第３の実施形態では、「フラット」または「非フラット」のいずれかとすることができるＰＶＣ製のアウトソールは、ヒール（３）、ソール（１）、およびシャンク（２）の間で途切れることなくシームレスに形作られ、したがって、それはウォーキングトレッドの全体を形成する。
【００２９】
この第３の実施形態では、シーム（６ａまたは６ｂ）はまた、図７に示すようにヒールキャップ領域（１２）まで上昇する（上に延びる）か、または図６に示すようにヒール領域（１３）で停止することができる。
【００３０】
本明細書に記載の発明が、意図されたすべての目的を達成することは明らかである。実際、本発明によるアウトソール構造は、新しい材料（異なるＰＶＣブレンド）で製造されることに加えて、特に突出したシーム６ａが歩行方向に揃えられた（整列した）バージョンでは、優れたステップ安定性及びトレッド面でのグリップに関して多くの利点を提供するため、確かにより快適で人間工学的である。
【００３１】
更に、「フラット」アウトソールを備えたバージョンと、突出したＰＶＣシーム（６ａ）を備えたバージョンの両方において、本発明の摩耗は、既知の解決策よりも小さく、実際、アウトソールの共押し出しが「路上」での歩行のサポートを表すシームの長手方向と一致する場合、横方向の摩擦は無視できるため、アウトソールとフットウェアの「寿命」が長くなる。
【００３２】
このように考案された本発明は、機能的および技術的に同等である多くの変更および変形が可能であり、すべて同じ発明概念の範囲内にある。
【００３３】
本発明の一実施形態について説明された特徴は、本発明自体の実施および範囲を制限することなく、他の実施形態にも存在し得ることが理解される。
【００３４】
参照符号および測定値（寸法）が可能性として存在していても、それらは、本説明の提示の目的のために専ら報告されていると見なされなければならず、アウトソールの構造要件に従って変わる可能性がある。
【００３５】
「チークカラー」および「黒いシーム」などの表現によって記述および識別される特徴は、非限定的な例として本明細書に提供され、アウトソールおよび完全なフットウェアの構造を特徴付ける色の可能な組み合わせの１つのみに関することも明らかであり、それらの構成要素の任意の組み合わせを採用することができる。
【００３６】
したがって、より広いおよびより狭いストリップ（６ａ，６ｂ）の色は、これまでに記載されたものとは異なることができ、あるいは、添付の特許請求の範囲の保護の範囲から逸脱することなく相互に交換され得る。例えば、本発明の可能な修正は、つま先からかかとの方向に長手方向に配置される代わりに、そのような方向に対して横方向に配置されるか、または任意の方向、例えば、限定されないがその角度に対して４５度に、斜めに配置されるＰＶＣで作られたストリップを含み得る。
【００３７】
更に、アウトソールの好ましい材料はＰＶＣであるが、本発明に従うアウトソールはその利点または機能性を変更することなく、他のプラスチック材料で作ることもできる。
【００３８】
最後に、すべての構造の詳細は、技術的に同等の要素で置き換えることができる。実際には、使用される材料、並びに条件付きの形状およびサイズは、以下の特許請求の範囲から逸脱することなく、要求に従って任意のものであり得る。
【符号の説明】
【００３９】
１  ソール
２  シャンク
３  ヒール
４  アッパー
５  インソール
６ａ  第２の突出したストリップ（シーム）
６ｂ  第２の突出していないストリップ（シーム）
９  縫い付けられたアッパー／アウトソールのシーム
１０  ワックス処理されたダイニーマ(Dyneema)（登録商標）
【図１】
2021513475.tif 000003
【図２】
2021513475.tif 000004
【図３】
2021513475.tif 000005
【図４】
2021513475.tif 000006
【図５】
2021513475.tif 000007
【図６】
2021513475.tif 000008
【図７】
2021513475.tif 000009
【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
プラスチック材料で作られた、フットウェア用のアウトソールであって、
同じプラスチック材料からなる２種類のブレンドを共押出しすることで製造でき、
薄い色またはチーク材の色を有するプラスチック材料の第１のストリップが、ヨットのデッキをシールするために使用されるシームの、暗い色または黒い色を有するプラスチック材料のそれぞれの第２のストリップ（６ａ及び６ｂ）と共に、並んで配置されると共に交互に配置されており、
前記第１のストリップの幅は、前記第２のストリップの幅よりもかなり大きく、
当該アウトソールは、チークストリップ間に黒いシームが散在した状態でヨットのチークブリッジ及びデッキの視覚的及び触覚的な効果を再現するように構成されており、
前記第１および第２のストリップの色は相互に交換可能である、
ことを特徴とするアウトソール。
【請求項２】
前記第２の黒いストリップ、すなわちシーム（６ａ）の厚さが、当該アウトソールの他の部分から突出するように、前記第１のチーク色のストリップの厚さより大きくなっており、これにより歩行時により大きなグリップをもたらすことを特徴とする、請求項１に記載のアウトソール。
【請求項３】
ヒール（３）、ソール（１）およびシャンク（２）を備えることを特徴とする、請求項１または２に記載のアウトソール。
【請求項４】
ヒール（３）、ソール（１）およびシャンク（２）を区別することなく足を完全に覆うように構成され、これによりウォーキングトレッドを形成するアウトソールの全体を得ていることを特徴とする、請求項１または２に記載のアウトソール。
【請求項５】
シームを形成する前記第２のストリップ（６ａ及び６ｂ）が、ヒール領域にも配置されていることを特徴とする、請求項４に記載のアウトソール。
【請求項６】
前記第２のストリップ（６ａ及び６ｂ）が、前記ヒールの上のヒールキャップ領域にも配置されていることを特徴とする、請求項５に記載のアウトソール。
【請求項７】
前記交互に配置された第１のストリップ及び第２のストリップ（６ａ，６ｂ）が、つま先とかかとを結ぶ方向での長手方向に配向されていることを特徴とする、請求項１〜６のいずれか一項に記載のアウトソール。
【請求項８】
それはまた、ヒールの後部垂直部分にも配置されていることを特徴とする、請求項７に記載のアウトソール。
【請求項９】
それはまた、ヒールキャップの後方垂直部分にも配置されていることを特徴とする、請求項８に記載のアウトソール。
【請求項１０】
前記交互に配置された第１のストリップ及び第２のストリップ（６ａ，６ｂ）が、つま先とかかとを結ぶ方向に対して垂直に配向されていることを特徴とする、請求項１〜６のいずれか一項に記載のアウトソール。
【請求項１１】
前記交互に配置された第１のストリップ及び第２のストリップ（６ａ，６ｂ）が、つま先とかかとを結ぶ方向に対して斜めに配向されていることを特徴とする、請求項１〜６のいずれか一項に記載のアウトソール。
【請求項１２】
前記第１のストリップの幅が、前記第２のストリップ（６ａ，６ｂ）の幅よりも８倍〜１２倍大きく、好ましくは約１０倍大きいことを特徴とする、請求項１〜１１のいずれか一項に記載のアウトソール。
【請求項１３】
前記第１及び第２のストリップが作られるプラスチック材料が、それぞれ異なる色を有する２つのブレンドのＰＶＣであることを特徴とする、請求項１〜１２のいずれか一項に記載のアウトソール。
【請求項１４】
請求項１〜１３のいずれか一項に記載のアウトソールと、アッパー（４）とを備えてなるフットウェアであって、
プラスチック材料またはＰＶＣで作られた前記アウトソールに前記アッパー（４）を縫い付けることによる組み立てを含み、適切なサイズのワックス処理されたダイニーマ（登録商標）撚糸を使用して、グッドイヤー（Ｇｏｏｄｙｅａｒ）モード、ブレイク／ラピッド（Ｂｌａｋｅ／Ｒａｐｉｄ）モード、またはノルウェー（Ｎｏｒｗｅｇｉａｎ）モードに従って取得可能なタイプのものであることを特徴とする、フットウェア。
【国際調査報告】
2021513475.tif 000010
2021513475.tif 000011
2021513475.tif 000012